(57)【要約】【課題】保持状態が安定し、動かすことのできるように軽く保持する指は、保持状態時には安定し、動かす際には保持状態からの切り替えが円滑である釣竿を提供する。【解決手段】リールＲを装着固定させるリール装着部２０を有する釣竿であって、前記リール装着部のリール載置面２６の径方向反対側所定位置には指掛け部２４が設けられており、該指掛け部の根元付近前側領域には釣竿の左右方向一側の面から他側の面にまで亘る指当て用の窪みＫ１，Ｋ２が設けられており、前記リール装着部に装着させたリールをパーミングして前記指掛け部を中指と薬指との間に挟んだ状態で、人差し指又は中指の指先腹部が当接する位置のリール装着部領域に複数個の滑り止め用の凸部及び／又は凹部３２が設けられており、このパーミング状態で前記窪みには少なくとも中指が位置するよう構成する。【選択図】図２
2011135815.tif 000002
【特許請求の範囲】
【請求項１】
リールを装着固定させるリール装着部を有する釣竿であって、前記リール装着部のリール載置面の径方向反対側所定位置には指掛け部が設けられており、該指掛け部の根元付近前側領域には釣竿の左右方向一側の面から他側の面にまで亘る指当て用の窪みが設けられており、前記リール装着部に装着させたリールをパーミングして前記指掛け部を中指と薬指との間に挟んだ状態で、人差し指又は中指の指先腹部が当接する位置のリール装着部領域に複数個の滑り止め用の凸部及び／又は凹部が設けられており、このパーミング状態で前記窪みには少なくとも中指が位置することを特徴とするリール装着部を有する釣竿。
【請求項２】
前記パーミング状態において、人差し指も前記窪みに位置できるように該窪みが前後方向に幅を有するか、又は人差し指は該窪みの前側に設けられた指当て用の他の窪みに位置する請求項１記載のリール装着部を有する釣竿。
【請求項３】
前記凸部及び／又は凹部は前記窪み又は前記他の窪みの内部に形成されている請求項２記載のリール装着部を有する釣竿。
【請求項４】
前記パーミング状態の人差し指が前記窪み又は他の窪みに位置する場合において、中指位置の窪み部分が人差し指位置の窪み部分よりも深い請求項２又は３記載のリール装着部を有する釣竿。
【発明の詳細な説明】
【技術分野】
【０００１】
本発明は、指掛け部を設けたリール装着部を有する釣竿に関する。
【背景技術】
【０００２】
典型的にはトリガーと称される指掛け部を設けたリール装着部を有する釣竿では、キャスティング操作やパーミング操作を行い、複雑な動きを伴う釣り操作を行うことが多い。このため、キャスティング操作時の保持（把持）の安定や、パーミング操作時の指先の安楽感を得るべく工夫した釣竿が下記特許文献１に開示されている。また、指先や掌の滑りを抑制すべく、リール装着部に多数の孔を設ける構造が下記特許文献２，３に開示されている。
【特許文献１】実用新案登録２５１１７１８号公報
【特許文献２】特開２００１−１４８９７１号公報
【特許文献３】特開２００５−１８５２１４号公報
【発明の開示】
【発明が解決しようとする課題】
【０００３】
リール装着部を保持した場合の釣竿操作では、リール装着部をしっかりと保持するための指と、釣竿操作に応じて動かすことができるように軽く保持する指とがあり、保持状態ではその保持が安定し、動かす際には直前の保持状態から動きの切り替えが円滑になることが重要であり、上記各公報開示の発明、考案に対して更に改善の余地がある。
依って解決しようとする課題は、リール装着部を保持するための指はその保持状態が安定し、動かすことのできるように軽く保持する指は、保持状態時には安定し、動かす際には保持状態からの切り替えが円滑である釣竿を提供することである。
【課題を解決するための手段】
【０００４】
上記課題に鑑みて第１の発明は、リールを装着固定させるリール装着部を有する釣竿であって、前記リール装着部のリール載置面の径方向反対側所定位置には指掛け部が設けられており、該指掛け部の根元付近前側領域には釣竿の左右方向一側の面から他側の面にまで亘る指当て用の窪みが設けられており、前記リール装着部に装着させたリールをパーミングして前記指掛け部を中指と薬指との間に挟んだ状態で、人差し指又は中指の指先腹部が当接する位置のリール装着部領域に複数個の滑り止め用の凸部及び／又は凹部が設けられており、このパーミング状態で前記窪みには少なくとも中指が位置することを特徴とするリール装着部を有する釣竿を提供する。
【０００５】
第２の発明では、第１の発明の前記パーミング状態において、人差し指も前記窪みに位置できるように該窪みが前後方向に幅を有するか、又は人差し指は該窪みの前側に設けられた指当て用の他の窪みに位置するよう構成する。
【０００６】
第３の発明では、第２の発明の前記凸部及び／又は凹部は前記窪み又は前記他の窪みの内部に形成されているよう構成する。
第４の発明では、第２又は第３の発明の前記パーミング状態の人差し指が前記窪み又は他の窪みに位置する場合において、中指位置の窪み部分が人差し指位置の窪み部分よりも深く構成する。
【発明の効果】
【０００７】
第１の発明では、上記パーミング時に、中指が指掛け部の根元付近前側の窪みに位置するため、この位置のリール装着部は窪みの分だけ細くなっているので、しっかりと締め付けができ、中指による保持が安定する。また、上記パーミング時では、通常時人差し指も保持状態であるが、必要時にはタイミングよく迅速に動かすことが可能なように、軽く保持している。この人差し指の指先腹部が滑り止め用の凸部／凹部に当接する形態では、軽く保持する必要性のある人差し指の通常時の安定のために、滑り止め用凸部／凹部が役に立って安定し、また、通常時軽く保持しているために、必要時に動かすことが迅速に可能となる。また、中指の指先腹部が滑り止め用の凸部／凹部に当接する形態では、しっかりと締め付けている中指に対して指先の滑りを防止するため、更に中指による保持が安定する。
【０００８】
第２の発明では、軽く保持する人差し指も、保持部分が窪んでいればそれだけ保持状態が安定する。特に、船釣り等において釣竿を（斜め）下方に向けた状態であって、両軸受型リールが釣竿の横側や下側に位置した状態を伴いつつあおり操作を行うと、人差し指の保持が外れよう（安定性を損なおう）とするが、窪みを区画形成する窪み縁部（窪みの周辺を成す部分；壁）に引っ掛かることであおり操作時の人差し指が安定する。
【０００９】
第３の発明では、凸部／凹部が、中指も人差し指も位置している窪み又は他の窪みの内部に形成されているため、中指又は人差し指による保持が効果的に安定する。
第４の発明では、中指位置の窪み部分がより深い、即ち、この部分が細径のため、常時しっかりと保持する中指の保持が安定し、状況によって動かすことのある人差し指の位置は中指位置よりは浅いため相対的に大径であり、必要時に迅速に動かし易い。
【発明を実施するための最良の形態】
【００１０】
以下、本発明を添付図面を用いて更に詳細に説明する。図１は本発明に係るリール装着部を有する釣竿として、船釣りに使用する船竿の側面図を示し、図２はその要部の拡大図、図３は図２の矢視線Ｃ方向視による下面図である。エポキシ樹脂等の合成樹脂マトリックスを炭素繊維等の強化繊維で強化した繊維強化合成樹脂製竿杆１０の後部所定位置にはリール装着部２０を設けており、このリール装着部のリール載置面２６とは径方向反対側に、所謂、トリガーと同じ又は類似の指掛け部２４が形成されている。この指掛け部は典型的なトリガーと比べると先端部の丸まり度合いが大きい。
【００１１】
このリール装着部の後側には後部グリップ４０が、前側近くには前部グリップ４２が夫々設けられている。また、竿杆１０のリール載置面側（上側）には、ガイドリングＧ１，Ｇ２，Ｇ３，Ｇ４が設けられている。
リール装着部２０は、内部に竿杆１０を挿通させて接着固定したリール装着部本体２２と、この本体の前部領域において螺合しているナット部材３０とを有している。前記リール載置面２６はリール装着部本体２２に形成されており、該リール載置面の後端部には固定フード２８Ａがリール装着部本体２２に形成されており、これに対向した前端部にはナット部材３０による移動フード２８Ｂが設けられている。
【００１２】
この例の前記指掛け部２４の釣竿長手方向の位置については、固定フードの径方向反対位置に設けられている。この指掛け部の根元付近前側領域はリール装着部本体２２の表面２２Ｓに対して指当て用の窪みＫ１が形成されており、この窪みＫ１は図２と図３に現れているように、リール装着部本体２２の一方の側面から、下面部（指掛け部の突出側）を経由して他側の側面にまで亘っている。図２の側面図において、概ね竿杆の中心軸線ＣＬから下半分において窪みＫ１が形成されている。
【００１３】
更に、リール装着部本体２２には、上記の窪みＫ１と連続した窪みであって、窪みＫ１の前方への延長ともいえるが、ここでは区別し、当該窪みＫ１の前側位置に指当て用の他の窪みＫ２も形成されている。この他の窪みＫ２は前記窪みＫ１よりも浅いが、前側のリール装着部本体表面２２Ｓに対して窪みとなっており、該表面２２Ｓとの境界壁Ｖ１，Ｖ２は図３においてＶ字状を形成している。即ち、釣竿の左側を視認している図２の側面視においては、境界壁Ｖ１は下方から前側上方に向かって傾斜している。
【００１４】
リール装着部２０にリールＲの一種としての両軸受型リールＲを装着固定した場合、パーミングにおいて、中指と薬指との間に指掛け部２４を挟むと、中指は前記窪みＫ１に押し当てる位置関係となり、人差し指は前記他の窪みＫ２に位置する。この人差し指の指先腹部が当たる位置の前記他の窪みＫ２内の領域には、指の幅の半分よりも小さな孔である凹部３２が適宜数設けられている。軽く保持した人差し指の指先腹部がこれらの凹部３２に位置すれば、滑り難くて保持が安定する。また、中指は深い方の窪みＫ１に位置し、しっかりと保持できる。
【００１５】
図２と図３には右手でパーミングした場合を図示しているが、左手でパーミングしてもよく、この場合は、人差し指の指先腹部は、凹部３２とは釣竿の左右反対側側面の凹部３２’に位置して滑り難くなる。
船釣り等において釣竿を斜め下方に向けた状態であって、両軸受型リールＲが釣竿の横側や下側に位置した状態を伴ってあおり操作を行うと、人差し指の保持が外れよう（安定性を損なおう）とするが、他の窪みＫ２を区画形成する窪み縁部Ｖ１，Ｖ２に引っ掛かることで人差し指が安定する。この例の窪み縁部Ｖ１，Ｖ２は釣竿の左側（図２）では下方から前方上側に傾斜状になっているため、右手人差し指の指向方向に近くて引っ掛かり易く、好都合である。左手の場合も、釣竿を右側側方から見た場合、窪み縁部Ｖ１，Ｖ２の釣竿右側部位Ｖ２が、下方から前方上側に傾斜状になっているため、保持状態の左手人差し指の指向方向に近くて引っ掛かり易く、好都合である。しかし、窪み縁部が傾斜状ではなく、釣竿中心軸線ＣＬに対して直交する方向に指向していても前記の引っ掛かり効果は生じる。
【００１６】
図４は本発明に係る釣竿の第２形態例の要部側面図であり、図２に対応する図である。主に第１形態例の場合と異なる事項を説明する。上記パーミング時において、中指の位置する窪みＫ１’は、上記窪みＫ１と異なり、側面視においては他の窪みＫ２との境界が不明（存在しない）であって、下面視では図３と同じであり、全体としては窪みＫ１’は人差し指の当たる領域である他の窪みＫ２よりも窪みが深い。
【００１７】
図５は本発明に係る釣竿の第３形態例の要部下面図であり、図３に対応する図である。主に第１形態例の場合と異なる事項を説明する。窪みＫ１（Ｋ１’）の左右の側面部に、滑り止め用の凹部３２と凸部３３を設けており、また、他の窪みＫ２の左右側面の複数個の凹部の一部が凸部３３に置換されて凹凸を成している。この形態例では、中指も滑り止め作用が加わる。
【００１８】
図６は本発明に係る釣竿の第４形態例の要部下面図であり、図３に対応する図である。主に第３形態例の場合と異なる事項を説明する。他の窪みＫ２は前側のリール装着部本体表面２２Ｓに対して窪みとなっており、この表面２２Ｓとの境界、即ち、該他の窪みＫ２を区画形成する窪み縁部Ｖ１’は図６においてＶ字状ではなく、図５の窪み縁部Ｖ１を延長したような概ね直線状に傾斜したラインになっており、右手で保持した場合に人差し指の指向方向に概ね沿う。また、この場合の他の窪みＫ２上には滑り止め用凹部３２のみを形成しており、それらは釣竿の左側面のみに設けられている。即ち、この形態例の釣竿は、リール装着部２０を右手で保持して操作することを想定しており、左手で保持することは考慮していない。
【００１９】
図７と図８は本発明に係る釣竿の第５形態例を示す図であり、図７は図２に対応し、図８は図３に対応する図である。主に第１形態例と異なる事項を説明する。中指用の窪みＫ１が前方に延長されて前後方向に幅広になっている。この延設部分を他の窪みＫ２とする。このことは第１形態例でも同様である。しかし、人差し指を他の窪みＫ２に位置させても、この人差し指は第１形態例のようには他の窪み内に十分には収まらず、指の中節の一部と先節（指先部分）が他の窪みＫ２から漏れ出る。これは、他の窪みＫ２が前方に向かって徐々に浅くなってリール装着部本体２２の本来の表面２２Ｓに到達する（窪みが無くなる）ように形成されており、他の窪みＫ２を区画形成する窪み縁部Ｖが釣竿の長手方向に対して概ね直交するラインに形成されていることも要因である。また、人差し指の滑り止め用凹部３２，３２’は、窪みＫ１や他の窪みＫ２の内部には無く、リール装着部本体２２の左右側面２２Ｓにのみ設けられている。この形態例でも人差し指の滑りは防止できる。しかし、更に他の窪み等の内部にも設けられていてもよい。
【００２０】
以上の形態例では、他の窪みＫ２は窪みＫ１（Ｋ１’）と連続しているが、両窪みが前後に離隔していてもよい。また、両窪みが連続している場合、他の窪みＫ２を窪みＫ１と区別しないで、一つの窪みとして扱い、その中で、深さの相違等に言及することもできる。
【産業上の利用可能性】
【００２１】
本発明は、指掛け部を有したリール装着部を有する釣竿に利用でき、船上で使用する船竿等に利用できる。
【図面の簡単な説明】
【００２２】
【図１】図１は本発明に係るリール装着部を有する釣竿の側面図である。
【図２】図２は図１の要部の拡大図である。
【図３】図３は図２の矢視線Ｃ方向視による下面図である。
【図４】図４は本発明に係る釣竿の第２形態例の要部側面図であり、図２に対応する図である。
【図５】図５は本発明に係る釣竿の第３形態例の要部下面図であり、図３に対応する図である。
【図６】図６は本発明に係る釣竿の第４形態例の要部下面図であり、図３に対応する図である。
【図７】図７は本発明に係る釣竿の第５形態例を示す図であり、図２に対応する図である。
【図８】図８は本発明に係る釣竿の第５形態例を示す図であり、図３に対応する図である。
【符号の説明】
【００２３】
２０                            リール装着部
２２                            リール装着部本体
２４                            指掛け部
Ｋ１，Ｋ１’                    窪み
Ｋ２                            他の窪み
３２，３２’                    滑り止め用の凹部
３３                            滑り止め用の凸部
【図１】
2011135815.tif 000003
【図２】
2011135815.tif 000004
【図３】
2011135815.tif 000005
【図４】
2011135815.tif 000006
【図５】
2011135815.tif 000007
【図６】
2011135815.tif 000008
【図７】
2011135815.tif 000009
【図８】
2011135815.tif 000010